(57)【特許請求の範囲】
【請求項１】
周縁部に下方へ折曲されるフランジ部が形成され、周縁部近傍の複数箇所に開口方向をフランジ部に対向させた断面コ字形のセード支持金具が設けられた器具本体と；
セード本体、セード本体の内面の周縁近傍から上方に突出形成され器具本体のフランジ部の内側に係合可能とする環状の係合部、係合部の内側面の複数箇所にその係合部の内側面に対して略垂直に突出形成され器具本体のセード支持金具に着脱可能に取り付けられる取付部、取付部の下面に対向してセード本体の表面に開口形成された孔部を有し、射出成形によって一体成形されており、器具本体に対して回動させて取り付けられるセードと；
セードの孔部を覆う装飾体と；
を具備していることを特徴とする照明器具。
【請求項２】
セードの係合部の内側面に接合される取付片部、および取付部の上面に接合される係合片部が形成された断面Ｌ字状の取付具を具備し、この取付具を介してセードの取付部が器具本体のセード支持金具に着脱可能に取り付けられ、
装飾体にはセードの孔部に挿入されるボスが突出形成され、
セードの取付部に対して取付具の係合片部と装飾体のボスとがねじ止めされている
ことを特徴とする請求項１記載の照明器具。
【発明の詳細な説明】
【０００１】
【発明の属する技術分野】
本発明は、セードを用いた照明器具に関する。
【０００２】
【従来の技術】
従来、例えば環形蛍光ランプを使用する照明器具では、円盤状の器具本体の下面に、環形蛍光ランプが配置されるとともに、この環形蛍光ランプを覆ってドーム状のセードが着脱可能に取り付けられる。
【０００３】
セードは、透光性を有する合成樹脂製で、一般的に圧空成形によって成形されている。この圧空成形では、板状の素材に空気圧力を加えて成形型内に圧入するとともに型内面からも素材を吸引し、素材を型内面に沿わせることにより、型内面形状に沿ったドーム状のセードを成形している。
【０００４】
このように成形されたセードを器具本体に取り付けるためには、セードの縁の数箇所に爪状の取付金具を板ばねなどで取り付け、この取付金具を介してセードが器具本体に取り付けられる。
【０００５】
【発明が解決しようとする課題】
しかしながら、従来のセードは、圧空成形によって成形しているので、例えば射出成形などに比べて成形時間が長くかかり、製造効率が悪い問題があり、さらに、成形されたセードを器具本体に取り付けられるようにするには、取付金具および板ばねなどの部品を用いる必要があるとともに、それら部品の組立工数も増加して生産性が悪い問題がある。
【０００６】
本発明は、このような点に鑑みなされたもので、器具本体側への取付用部品を削減し、製造効率および生産性を向上できるセードを用いた照明器具を提供することを目的とする。
【０００７】
【課題を解決するための手段】
請求項１記載の照明器具は、周縁部に下方へ折曲されるフランジ部が形成され、周縁部近傍の複数箇所に開口方向をフランジ部に対向させた断面コ字形のセード支持金具が設けられた器具本体と；セード本体、セード本体の内面の周縁近傍から上方に突出形成され器具本体のフランジ部の内側に係合可能とする環状の係合部、係合部の内側面の複数箇所にその係合部の内側面に対して略垂直に突出形成され器具本体のセード支持金具に着脱可能に取り付けられる取付部、取付部の下面に対向してセード本体の表面に開口形成された孔部を有し、射出成形によって一体成形されており、器具本体に対して回動させて取り付けられるセードと；セードの孔部を覆う装飾体と；を具備しているものである。器具本体に対して回動させて取り付けるセードを射出成形によって一体成形することにより、圧空成形に比べて成形時間が短く、製造効率が向上し、さらに、セード本体の表面に孔部が開口する構造とすることで、セード本体の内面側で孔部に対向される取付部を一体成形することが可能となり、器具本体側への取付用部品が削減されるとともに、その取付用部品の組み付けのための工数が削減されて生産性が向上する。
【０００８】
請求項２記載の照明器具は、請求項１記載の照明器具において、セードの係合部の内側面に接合される取付片部、および取付部の上面に接合される係合片部が形成された断面Ｌ字状の取付具を具備し、この取付具を介してセードの取付部が器具本体のセード支持金具に着脱可能に取り付けられ、装飾体にはセードの孔部に挿入されるボスが突出形成され、セードの取付部に対して取付具の係合片部と装飾体のボスとがねじ止めされているもので、取付部を補強することができ、セードの位置ずれを防止できる。
【０００９】
【発明の実施の形態】
以下、本発明の一実施の形態を図面を参照して説明する。
【００１０】
図１ないし図３に第１の実施の形態を示し、図１は照明器具の断面図、図２はセードの斜視図、図３はセードを射出成形する成形型の一部の断面図である。
【００１１】
照明器具は、異なるランプ出力の環形蛍光ランプ１を２本使用する天井取付形照明器具である。
【００１２】
11は器具本体で、この器具本体11は、ほぼ円盤状に形成され、周縁部に下方に折曲されるフランジ部12が形成されている。この器具本体11の下面中央には図示しない台形状の反射板が配置され、この反射板の周囲に対して図示しないランプソケットとランプホルダとによって環形蛍光ランプ１が配置されている。
【００１３】
器具本体11の周縁部の３箇所には、セード支持部としての断面ほぼコ字形のセード支持金具13がその断面ほぼコ字形の開口方向をフランジ部12に対向させて取り付けられている。
【００１４】
また、21はセードで、このセード21は、乳白色で透光性を有する合成樹脂製で、器具本体11およびこの器具本体11の下面に配置される反射板や環形蛍光ランプ１など覆える大きさのドーム状に形成されている。
【００１５】
セード21は、表面22側が凸状、内面23側が凹状とし、器具本体11への取付面24側が開口されたドーム状のセード本体25を有している。
【００１６】
セード本体25の内面23の周縁近傍には、器具本体11のフランジ部12の内側に係合可能とする環状の係合部26がセード本体25の上方へ突出形成されている。この係合部26の内側の３箇所には、セード支持金具13に係合可能とする取付部27が係合部26の内側面に対してほぼ垂直で取付面24にほぼ平行に突出形成されている。
【００１７】
セード本体25の表面22には、各取付部27に対向する３箇所に成形用の孔部28が形成されている。取付部27と孔部28とはほぼ同一形状かもしくは取付部27が孔部28より小さい形状に形成されている。
【００１８】
また、31は装飾体で、この装飾体31は、孔部28の形状より大きく形成され、セード本体25の表面22に各孔部28を覆って取り付けられている。装飾体31の取付手段としては、接着剤、両面接着テープ、爪構造による係止、ねじ止めなどが採用される。
【００１９】
図３において、セード21を射出成形する成形型41を示し、上型42と下型43とを備え、これら上型42と下型43との型閉状態で、上型42と下型43との間に形成される成形空間44内にセード21の原材料の溶融樹脂が射出充填されて、セード21が一体成形される。
【００２０】
下型43の型面には凸型部45が突出され、この凸型部45によって取付部27の下面が成形される。さらに、セード本体25の部分には、取付部27の下面を成形するための凸型部45が挿通される成形用の孔部28が成形される。
【００２１】
次に、本実施の形態の作用を説明する。
【００２２】
セード21を器具本体11に取り付けるには、セード21の係合部26を器具本体11のフランジ部12の内側に係合し、セード21を器具本体11に対して回動させて、セード21の取付部27を器具本体11のセード支持金具13上に係合させることにより、器具本体11のセード支持金具13で取付部27を介してセード21を支持し、セード21を器具本体11に取り付けられる。
【００２３】
このように、セード21を射出成形によって一体成形することにより、圧空成形に比べて成形時間が短く、製造効率を向上できる。しかも、セード本体25の表面22に孔部28が開口する構造とすることで、セード本体25の内面23側で孔部28に対向される取付部27を一体成形することが可能となり、従来のような器具本体11側への取付用部品を削減できるとともに、その取付用部品の組み付けのための工数を削減して生産性を向上できる。
【００２４】
また、セード21の孔部28は装飾体31で覆うので、この装飾体31により、孔部28を隠蔽できるとともに、照明器具としての装飾効果を得ることができる。
【００２５】
次に、図４ないし図６に第２の実施の形態を示し、図４は照明器具の一部の断面図、図５(a)(b)は装飾体を示す図、図６は取付具を示す図である。
【００２６】
セード21の取付部27には円周方向に一対の取付孔27aが形成されている。
【００２７】
装飾体31は、表面が装飾効果を有する形状や色などが採用された装飾部32を有し、この装飾部32の内面には取付孔33を有する一対のボス34が突出形成されている。
【００２８】
セード21の取付部27の上側には取付具51が配設される。この取付具51は、係合部26の内側面に接合される取付片部52と取付部27の上面に接合される係合片部53とがほぼＬ字状に形成され、取付片部52には係合部26の上面に係合する係止部54が形成され、係合片部53には取付部27の各取付孔27aに対応して一対の取付孔55が形成されているとともに取付部27の円周方向に対応する一方の縁部に立上片部56が形成されている。
【００２９】
そして、装飾体31のボス34をセード21の表面22側から孔部28に挿入して取付部27の下面側に位置合わせし、取付具51を取付部27の上面側に位置合わせし、取付ねじ61を取付具51の取付孔55および取付部27の取付孔27aを通じてボス34の取付孔55に螺着し、これら取付具51、取付部27および装飾体31を互いに締め付け固定する。このように、取付部27に対して取付具51および装飾体31をねじ止めすることにより、取付部27を補強することができる。
【００３０】
セード21を器具本体11に取り付けた際、取付具51の係合片部53が器具本体11のセード支持金具13上に係合し、この取付具51を介してセード21が支持される。セード21の重量が取付具51にかかると、セード支持金具13上に係合する取付具51の内端側に対して取付部27が連結された外端側が下がるように変形しようとするが、取付部27には装飾体31がねじ止めされて補強されているので、その変形が規制され、セード21の位置ずれを防止できる。
【００３１】
そして、この実施の形態においても、セード21を射出成形によって一体成形することにより、圧空成形に比べて成形時間が短く、製造効率を向上できる。さらに、セード21の孔部28は装飾体31で覆うので、この装飾体31により、孔部28を隠蔽できるとともに、照明器具としての装飾効果を得ることができる。
【００３２】
また、取付具51を用いるとともに、取付部27に装飾体31のボス34をねじ止めして補強するので、例えば、セード21が大形で重量が重いような場合でも、セード21を器具本体11に確実に支持できる。
【００３３】
なお、ドーム状のセードに限らず、四角形状のセードなどに適用しても、同様の作用効果が得られる。
【００３４】
【発明の効果】
請求項１記載の照明器具によれば、器具本体に対して回動させて取り付けるセードを射出成形によって一体成形するので、圧空成形に比べて成形時間が短く、製造効率を向上でき、しかも、セード本体の表面に孔部が開口する構造とすることで、セード本体の内面側で孔部に対向される取付部を一体成形することが可能となり、従来のような器具本体側への取付用部品を削減できるとともに、その取付用部品の組み付けのための工数を削減して生産性を向上できる。
【００３５】
請求項２記載の照明器具によれば、請求項１記載の照明器具の効果に加えて、セードの取付部に対して取付具の係合片部と装飾体のボスとがねじ止めされているため、取付部を補強することができ、セードの位置ずれを防止できる。
【図面の簡単な説明】
【図１】  本発明の第１の実施の形態を示す照明器具の断面図である。
【図２】  同上セードの斜視図である。
【図３】  同上セードを射出成形する成形型の一部の断面図である。
【図４】  本発明の第２の実施の形態を示す照明器具の一部の断面図である。
【図５】  同上(a)は装飾体の底面図、(b)は装飾体の平面図である。
【図６】  同上(a)は取付具の平面図、(b)は取付具の正面図、(c)は取付具の側面図である。
【符号の説明】
11    器具本体
12 フランジ部
13    セード支持金具
21    セード
25    セード本体
26 係合部
27    取付部
28    孔部
31    装飾体
34    ボス
51 取付具
53 係合片部
【図１】
0004095717.tif 000002
【図２】
0004095717.tif 000003
【図３】
0004095717.tif 000004
【図４】
0004095717.tif 000005
【図５】
0004095717.tif 000006
【図６】
0004095717.tif 000007